【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置とを備えた個人疾患検知システム。
【請求項２】
前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する請求項１記載の個人疾患検知システム。
【請求項３】
前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する請求項２記載の個人疾患検知システム。
【請求項４】
前記道具とは、家具または前記室内の入り口のドアであり、
前記第２装置は、前記家具の開閉を検知する開閉センサまたは前記室内の入り口のドアの開閉を検知する開閉センサを有し、
前記第２装置は、その開閉センサの検知結果を利用して、前記使用頻度を検出する請求項１または２に記載の個人疾患検知システム。
【請求項５】
前記被使用物とは、家電製品であり、
前記第２装置は、前記家電製品の開閉を検知する開閉センサを有し、
前記第２装置は、その開閉センサの検知結果を利用して、前記使用頻度を検出する請求項１または２に記載の個人疾患検知システム。
【請求項６】
前記被使用物とは、家電製品であり、
前記第２装置は、前記家電製品の電源オンまたは電源オフを検知する電源センサを有し、
前記第２装置は、その電源センサの検知結果を利用して、前記使用頻度を検出する請求項１または２に記載の個人疾患検知システム。
【請求項７】
前記人体は複数人存在し、
前記第１装置は、前記室内に居る前記人体がいずれの個人であるかをも識別し、
前記第３装置は、その識別された個人について前記判定を行う請求項１〜６のいずれかに記載の個人疾患検知システム。
【請求項８】
室内に設置され、所定の時間間隔の間に前記室内で人体が移動した距離である総活動距離を検出する総活動距離検出手段を備え、
前記室内に設置され、被使用装置及び／または道具の使用頻度を少なくとも検知する第２装置が検出した前記総活動距離と検出された前記使用頻度とに基づいて、前記人体が精神及び／または行動に障害を持っている状態か、または前記障害を持っていない状態かを判定する第３装置によって、前記判定が行われる第１装置。
【請求項９】
前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する請求項８記載の第１装置。
【請求項１０】
前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する請求項９記載の第１装置。
【請求項１１】
前記人体は複数人存在し、
前記総活動距離検出手段は、前記室内に居る前記人体がいずれの個人であるかをも識別し、
前記第３装置は、その識別された個人について前記判定を行う請求項８〜１０のいずれかに記載の第１装置。
【請求項１２】
室内に設置され、被使用装置及び／または道具の使用頻度を少なくとも検知する使用頻度検出手段を備え、
前記室内に設置され、所定の時間間隔の間に前記室内で人体が移動した距離である総活動距離を検出する第１装置によって検出された前記総活動距離と、検出された前記使用頻度とに基づいて、前記人体が精神及び／または行動に障害を持っている状態か、または前記障害を持っていない状態かを判定する第３装置によって前記判定が行われる第２装置。
【請求項１３】
前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する請求項１２記載の第２装置。
【請求項１４】
前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する請求項１３記載の第２装置。
【請求項１５】
前記道具とは、家具または前記室内の入り口のドアであり、
前記使用頻度検出手段は、前記家具の開閉を検知する開閉センサまたは前記室内の入り口のドアの開閉を検知する開閉センサを有し、
前記使用頻度検出手段は、その開閉センサの検知結果を利用して、前記使用頻度を検出する請求項１２または１３に記載の第２装置。
【請求項１６】
前記被使用物とは、家電製品であり、
前記使用頻度検出手段は、前記家電製品の開閉を検知する開閉センサを有し、
前記前記使用頻度検出手段は、その開閉センサの検知結果を利用して、前記使用頻度を検出する請求項１２または１３に記載の第２装置。
【請求項１７】
前記被使用物とは、家電製品であり、
前記使用頻度検出手段は、前記家電製品の電源オンまたは電源オフを検知する電源センサを有し、
前記使用頻度検出手段は、その電源センサの検知結果を利用して、前記使用頻度を検出する請求項１２または１３に記載の第２装置。
【請求項１８】
室内に設置され、所定の時間間隔の間に前記室内で人体が移動した距離である総活動距離を検出する第１装置によって検出された前記総活動距離と、
前記室内に設置され、被使用装置及び／または道具の使用頻度を少なくとも検知する第２装置によって検出された前記使用頻度とに基づいて、前記人体が精神及び／または行動に障害を持っている状態か、または前記障害を持っていない状態かを判定する判定手段を備えた第３装置。
【請求項１９】
前記判定手段は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する請求項１８記載の第３装置。
【請求項２０】
前記人体が精神及び／または行動に障害を持っている状態であるとは、夜間徘徊をしている状態であることであり、
前記判定手段は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する請求項１９記載の第３装置。
【請求項２１】
前記道具とは、または家具または前記室内の入り口のドアであり、
前記第２装置は、前記家具の開閉を検知する開閉センサまたは前記室内の入り口のドアの開閉を検知する開閉センサを有し、
前記第２装置は、その開閉センサの検知結果を利用して、前記使用頻度を検出する請求項１８または１９に記載の第３装置。
【請求項２２】
前記被使用物とは、家電製品であり、
前記第２装置は、前記家電製品の開閉を検知する開閉センサを有し、
前記第２装置は、その開閉センサの検知結果を利用して、前記使用頻度を検出する請求項１８または１９に記載の第３装置。
【請求項２３】
前記被使用物とは、家電製品であり、
前記第２装置は、前記家電製品の電源オンまたは電源オフを検知する電源センサを有し、
前記第２装置は、その電源センサの検知結果を利用して、前記使用頻度を検出する請求項１８または１９に記載の第３装置。
【請求項２４】
前記人体は複数人存在し、
前記第１装置は、前記室内に居る前記人体がいずれの個人であるかをも識別し、
前記第３装置は、その識別された個人について前記判定を行う請求項１８〜２３のいずれかに記載の第３装置。
【請求項２５】
室内で、所定の時間間隔の間に前記室内で人体が移動した距離である総活動距離を検出する総活動距離検出ステップと、
前記室内で、被使用装置及び／または道具の使用頻度を少なくとも検知する使用頻度検出ステップと、
検出された前記総活動距離と検出された前記使用頻度とに基づいて、前記人体が精神及び／または行動に障害を持っている状態か、または前記障害を持っていない状態かを判定する判定ステップとを備えた個人疾患検知方法。
【請求項２６】
前記判定ステップは、検出された前記総活動距離が第１の所定の値より大きくかつ、その検出された総活動距離に対応する前記使用頻度が第２の所定の値より大きい場合、前記人体が精神及び／または行動に障害を持っている状態であると判定する請求項２５記載の個人疾患検知方法。
【請求項２７】
前記人体が精神及び／または行動に障害を持っている状態であるとは、夜間徘徊をしている状態であることであり、
前記判定ステップは、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する請求項２６記載の個人疾患検知方法。
【請求項２８】
前記人体が複数人存在する場合、前記総活動距離検出ステップは、前記室内に居る前記人体がいずれの個人であるかをも識別し、
前記判定ステップは、その識別された個人について前記判定を行う請求項２５〜２７のいずれかに記載の個人疾患検知方法。
【請求項２９】
請求項１記載の個人疾患検知システムの、室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置との全部または一部としてコンピュータを機能させるためのプログラムを担持した媒体であって、コンピュータにより処理可能である媒体。
【請求項３０】
請求項１記載の個人疾患検知システムの、室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置との全部または一部としてコンピュータを機能させるためのプログラム。
【手続補正２】
【補正対象書類名】明細書
【補正対象項目名】００２２
【補正方法】変更
【補正の内容】
【００２２】
【課題を解決するための手段】
上述した課題を解決するために、第１の本発明（請求項１に対応）は、室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置とを備えた個人疾患検知システムである。
【手続補正３】
【補正対象書類名】明細書
【補正対象項目名】００２３
【補正方法】変更
【補正の内容】
【００２３】
また、第２の本発明（請求項２に対応）は、前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する第１の本発明の個人疾患検知システムである。
【手続補正４】
【補正対象書類名】明細書
【補正対象項目名】００２４
【補正方法】変更
【補正の内容】
【００２４】
また、第３の本発明（請求項３に対応）は、前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する第２の本発明の個人疾患検知システムである。
【手続補正５】
【補正対象書類名】明細書
【補正対象項目名】００２９
【補正方法】変更
【補正の内容】
【００２９】
また、第８の本発明（請求項８に対応）は、室内に設置され、所定の時間間隔の間に前記室内で人体が移動した距離である総活動距離を検出する総活動距離検出手段を備え、
前記室内に設置され、被使用装置及び／または道具の使用頻度を少なくとも検知する第２装置が検出した前記総活動距離と検出された前記使用頻度とに基づいて、前記人体が精神及び／または行動に障害を持っている状態か、または前記障害を持っていない状態かを判定する第３装置によって、前記判定が行われる第１装置である。
【手続補正６】
【補正対象書類名】明細書
【補正対象項目名】００３０
【補正方法】変更
【補正の内容】
【００３０】
また、第９の本発明（請求項９に対応）は、前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する第８の本発明の第１装置である。
【手続補正７】
【補正対象書類名】明細書
【補正対象項目名】００３１
【補正方法】変更
【補正の内容】
【００３１】
また、第１０の本発明（請求項１０に対応）は、前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する第９の本発明の第１装置である。
【手続補正８】
【補正対象書類名】明細書
【補正対象項目名】００３５
【補正方法】変更
【補正の内容】
【００３５】
さらに、第１１の本発明（請求項１１に対応）は、前記人体は複数人存在し、
前記総活動距離検出手段は、前記室内に居る前記人体がいずれの個人であるかをも識別し、
前記第３装置は、その識別された個人について前記判定を行う第８〜１０の本発明のいずれかの第１装置である。
【手続補正９】
【補正対象書類名】明細書
【補正対象項目名】００３６
【補正方法】変更
【補正の内容】
【００３６】
また、第１２の本発明（請求項１２に対応）は、室内に設置され、被使用装置及び／または道具の使用頻度を少なくとも検知する使用頻度検出手段を備え、
前記室内に設置され、所定の時間間隔の間に前記室内で人体が移動した距離である総活動距離を検出する第１装置によって検出された前記総活動距離と、検出された前記使用頻度とに基づいて、前記人体が精神及び／または行動に障害を持っている状態か、または前記障害を持っていない状態かを判定する第３装置によって前記判定が行われる第２装置である。
【手続補正１０】
【補正対象書類名】明細書
【補正対象項目名】００３７
【補正方法】変更
【補正の内容】
【００３７】
また、第１３の本発明（請求項１３に対応）は、前記第３装置は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する第１２の本発明の第２装置である。
【手続補正１１】
【補正対象書類名】明細書
【補正対象項目名】００３８
【補正方法】変更
【補正の内容】
【００３８】
また、第１４の本発明（請求項１４に対応）は、前記人体が精神及び／または行動に障害を持っている状態であるとは、夜間徘徊をしている状態であることであり、
前記第３装置は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する第１３の本発明の第２装置である。
【手続補正１２】
【補正対象書類名】明細書
【補正対象項目名】００４３
【補正方法】変更
【補正の内容】
【００４３】
また、第１８の本発明（請求項１８に対応）は、室内に設置され、所定の時間間隔の間に前記室内で人体が移動した距離である総活動距離を検出する第１装置によって検出された前記総活動距離と、
前記室内に設置され、被使用装置及び／または道具の使用頻度を少なくとも検知する第２装置によって検出された前記使用頻度とに基づいて、前記人体が精神及び／または行動に障害を持っている状態か、または前記障害を持っていない状態かを判定する判定手段を備えた第３装置である。
【手続補正１３】
【補正対象書類名】明細書
【補正対象項目名】００４４
【補正方法】変更
【補正の内容】
【００４４】
また、第１９の本発明（請求項１９に対応）は、前記前記判定手段は、検出された前記総活動距離が第１の所定の値より大きくかつ、その検出された総活動距離に対応する前記使用頻度が第２の所定の値より大きい場合、前記人体が精神及び／または行動に障害を持っている状態であると判定する第１８の本発明の第３装置である。
【手続補正１４】
【補正対象書類名】明細書
【補正対象項目名】００４５
【補正方法】変更
【補正の内容】
【００４５】
また、第２０の本発明（請求項２０に対応）は、前記人体が精神及び／または行動に障害を持っている状態であるとは、夜間徘徊をしている状態であることであり、
前記前記判定手段は、夜間における所定の時間帯において、検出された前記総活動距離が前記第１の所定の値より大きくかつ、その検出された総活動距離に対応する前記使用頻度が前記第２の所定の値より大きいことを検知した場合、前記人体が夜間徘徊をしている状態であると判定する第１９の本発明の第３装置である。
【手続補正１５】
【補正対象書類名】明細書
【補正対象項目名】００５０
【補正方法】変更
【補正の内容】
【００５０】
また、第２５の本発明（請求項２５に対応）は、室内で、所定の時間間隔の間に前記室内で人体が移動した距離である総活動距離を検出する総活動距離検出ステップと、
前記室内で、被使用装置及び／または道具の使用頻度を少なくとも検知する使用頻度検出ステップと、
検出された前記総活動距離と検出された前記使用頻度とに基づいて、前記人体が精神及び／または行動に障害を持っている状態か、または前記障害を持っていない状態かを判定する判定ステップとを備えた個人疾患検知方法である。
【手続補正１６】
【補正対象書類名】明細書
【補正対象項目名】００５１
【補正方法】変更
【補正の内容】
【００５１】
また、第２６の本発明（請求項２６に対応）は、前記判定ステップは、検出された前記総活動距離が第１の所定の値より大きくかつ、その検出された総活動距離に対応する前記使用頻度が第２の所定の値より大きい場合、前記人体が精神及び／または行動に障害を持っている状態であると判定する第２５の本発明の個人疾患検知方法である。
【手続補正１７】
【補正対象書類名】明細書
【補正対象項目名】００５２
【補正方法】変更
【補正の内容】
【００５２】
また、第２７の本発明（請求項２７に対応）は、前記人体が精神及び／または行動に障害を持っている状態であるとは、夜間徘徊をしている状態であることであり、
前記前記判定ステップは、夜間における所定の時間帯において、検出された前記総活動距離が第１の所定の値より大きくかつ、その検出された総活動距離に対応する前記使用頻度が第２の所定の値より大きいことを検知した場合、前記人体が夜間徘徊をしている状態であると判定する第２６の本発明の個人疾患検知方法である。
【手続補正１８】
【補正対象書類名】明細書
【補正対象項目名】００５３
【補正方法】変更
【補正の内容】
【００５３】
また、第２８の本発明（請求項２８に対応）は、前記人体が複数人存在する場合、前記総活動距離検出ステップは、前記室内に居る前記人体がいずれの個人であるかをも識別し、
前記判定ステップは、その識別された個人について前記判定を行う第２５〜２７の本発明のいずれかの個人疾患検知方法である。
【手続補正１９】
【補正対象書類名】明細書
【補正対象項目名】００５４
【補正方法】変更
【補正の内容】
【００５４】
また、第２９の本発明（請求項２９に対応）は、第１の本発明の個人疾患検知システムの、室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置との全部または一部としてコンピュータを機能させるためのプログラムを担持した媒体であって、コンピュータにより処理可能である媒体である。
【手続補正２０】
【補正対象書類名】明細書
【補正対象項目名】００５５
【補正方法】変更
【補正の内容】
【００５５】
また、第３０の本発明（請求項３０に対応）は、第１の本発明の個人疾患検知システムの、室内に設置され、所定の時間間隔の間に前記室内で人体が移動した距離である総活動距離を検出する第１装置と、
前記室内に設置され、被使用装置及び／または道具の使用頻度を少なくとも検知する第２装置と、
検出された前記総活動距離と検出された前記使用頻度とに基づいて、前記人体が精神及び／または行動に障害を持っている状態か、または前記障害を持っていない状態かを判定する第３装置との全部または一部としてコンピュータを機能させるためのプログラムである。